(57)【要約】【課題】  内部が乾燥室となり、効率良く洗濯物を乾燥することのできる衣類乾燥装置を提供する。【解決手段】  浴室１と洗面室を仕切る間仕切５内に収納スペースＳを設け、この収納スペースＳに、乾燥機８からの送風口９を開設して構成する。【選択図】        図２
2005034511.tif 000002
【特許請求の範囲】
【請求項１】
浴室と洗面室を仕切る間仕切内に収納スペースを設け、該収納スペースに、乾燥機からの送風口を開設したことを特徴とする衣類乾燥装置。
【請求項２】
前記乾燥機は、浴室用乾燥機と共用であり、前記収納スペース内への送風と、浴室内への送風を切替え可能に構成したことを特徴とする請求項１に記載の衣類乾燥装置。
【請求項３】
浴室と洗面室を仕切る間仕切内に収納スペースを設け、該収納スペースの壁に、電気あるいは温水式のヒーター機能部を設けたことを特徴とする衣類乾燥装置。
【請求項４】
前記収納スペース内に、衣類を掛けることのできる掛止部を設けたことを特徴とする請求項１または請求項２または請求項３に記載の衣類乾燥装置。
【請求項５】
前記収納スペースの浴室側に、開閉可能な扉を設けるとともに、該扉の下部部位及び／または収納スペースの洗面室側の壁の下部部位に通気口を設けたことを特徴とする請求項１または請求項２または請求項３または請求項４に記載の衣類乾燥装置。
【発明の詳細な説明】
【技術分野】
【０００１】
この発明は、衣類乾燥装置に関するものである。
【背景技術】
【０００２】
換気乾燥装置を設けた浴室内では、内部で洗濯物を乾かすことができるが、従来の換気乾燥機の場合は、直接風の当たる乾燥機の送風口付近では洗濯物が良く乾くが、少し離れた位置では乾きにくいという問題点があった。
【特許文献１】特開２００１−２７５７６３号公報
【発明の開示】
【課題を解決するための手段】
【０００３】
本発明は上記従来の問題点に鑑み案出したものであって、効率良く衣類を乾燥させることのできる衣類乾燥装置を提供せんことを目的とし、その第１の要旨は、浴室と洗面室を仕切る間仕切内に収納スペースを設け、該収納スペースに、乾燥機からの送風口を開設したことである。
また、第２の要旨は、前記乾燥機は、浴室用乾燥機と共用であり、前記収納スペース内への送風と、浴室内への送風を切替え可能に構成したことである。
また、第３の要旨は、浴室と洗面室を仕切る間仕切内に収納スペースを設け、該収納スペースの壁に、電気あるいは温水式のヒーター機能部を設けたことである。
また、第４の要旨は、前記収納スペース内に、衣類を掛けることのできる掛止部を設けたことである。
また、第５の要旨は、前記収納スペースの浴室側に、開閉可能な扉を設けるとともに、該扉の下部部位及び／または収納スペースの洗面室側の壁の下部部位に通気口を設けたことである。
【発明の効果】
【０００４】
本発明の衣類乾燥装置は、浴室と洗面室を仕切る間仕切内に収納スペースを設け、該収納スペースに、乾燥機からの送風口を開設したことにより、狭い空間への送風となり、送風が効率良く衣類に当たり、間仕切内部に形成された収納スペース内が乾燥室となり、衣類を効率良く乾燥させることができるものとなる。
【０００５】
また、乾燥機は、浴室用乾燥機と共用であり、収納スペース内への送風と、浴室内への送風を切替え可能に構成したことにより、乾燥機が一つで済むとともに、例えば浴室内で入浴している時には、浴室内を換気しないで収納スペース内のみに送風して、収納スペース内で洗濯物の乾燥ができるものとなるから、入浴中にも洗濯物を乾燥できる。
【０００６】
また、浴室と洗面室を仕切る間仕切内に収納スペースを設け、該収納スペースの壁に、電気あるいは温水式のヒーター機能部を設けたことにより、ヒーター機能部を作動させて収納スペース内の温度を上げ、収納スペース内を乾燥室として良好に内部で洗濯物を乾燥させることができるものとなる。
【０００７】
また、収納スペース内に、衣類を掛けることのできる掛止部を設けたことにより、掛止部に衣類を掛けておくと、衣類の間に換気が回りやすくなり、乾燥効率が良くなる。
【０００８】
また、収納スペースの浴室側に、開閉可能な扉を設けるとともに、扉の下部部位及び／または収納スペースの洗面室側の壁の下部部位に通気口を設けたことにより、収納スペース内の換気が良くなり、内部での洗濯物の乾燥が効率良くできるものとなる。
【発明を実施するための最良の形態】
【０００９】
以下、本発明の実施例を図面に基づいて説明する。
図１は、浴室と洗面室の斜視構成図であり、洗面キャビネット３とか洗濯機４を設置した洗面室２と、浴室１を仕切る間仕切５には、連続して浴室１への出入口１ａを形成するドア枠６が立設されており、ドア枠６には、開閉可能に折り戸７が設けられている。
図２は、浴室内側から見た出入口１ａ及び間仕切５の部分の拡大斜視構成図であり、図３は、間仕切の部分を縦方向に切断した断面拡大構成図である。
【００１０】
浴室１の天井１ｂには、浴室乾燥機８が設けられており、この浴室乾燥機８からダクトパイプ９ａを通して送風口９が、間仕切５内に形成された収納スペースＳの天井部分に開設されている。
この収納スペースＳは、間仕切５を構成する洗面室２側の壁５ａと、浴室１側の開閉可能な扉１０との間に形成されたものであり、この収納スペースＳは、幅長ａが例えば１００〜２００mm程度で、高さは２ｍ程度で、水平方向の広さは７００mm程度であり、内部に衣類１３を配置させて乾燥させるのに丁度良い平たい空間となっている。
【００１１】
この収納スペースＳ内には、衣類１３を掛けることのできる掛止パイプ１１（ランドリーパイプ等）が横方向に配設されており、また、洗面室側の壁５ａの下部位には、ガラリで構成される通気口１２が設けられている。
なお、通気口１２は、扉１０の下部部位に設けても良く、また、扉１０と壁５ａの両方に通気口１２を設けた構成であっても良い。
このような収納スペースＳ内の掛止パイプ１１に衣類１３を掛止させ、送風口９から収納スペースＳ内に浴室乾燥機８からの風を送り込んで、収納スペースＳ内で衣類１３を効率良く乾燥させることができる。
【００１２】
なお、例えば図１のように、間仕切５の洗面室２側の壁５ａ等にリモコン１５を設けておき、このリモコン１５で、浴室１内への送風と、送風口９への送風を切替えできるように構成しておくことができ、例えば、浴室１内で入浴している時には、送風口９から収納スペースＳ内のみに浴室乾燥機８からの送風を送り、収納スペースＳ内部で洗濯物を乾燥できるように構成しておくことができる。
なお、通気口１２が設けられていることにより、収納スペースＳ内の換気が良くなり、また、掛止パイプ１１に衣類１３を掛けることにより、衣類１３の周りを換気が循環しやすくなり、より乾燥効率を向上させることができるものとなる。
【００１３】
なお、さらには、例えば間仕切５の洗面室側の壁５ａに、電気式あるいは温水式のヒーター機能部１４を設けておき、このヒーター機能部１４に通電あるいは温水を通して、ヒーター機能部１４により収納スペースＳ内を暖めて、収納スペースＳ内の温度を上げることができるように構成しておくことができ、ヒーター機能部１４により収納スペースＳ内が乾燥室となり、良好に内部で洗濯物を乾燥させることができるものとなる。
このようにヒーター機能部１４を設けた場合には、送風口９は省略しても良く、また、同時に送風口９から送風できるように構成しても良い。
【図面の簡単な説明】
【００１４】
【図１】浴室と洗面室の斜視構成図である。
【図２】浴室内側から間仕切を見た拡大斜視構成図である。
【図３】間仕切内に形成された収納スペースの縦断面拡大構成図である。
【符号の説明】
【００１５】
１  浴室
１ａ  出入口
１ｂ  天井
２  洗面室
５  間仕切
５ａ  壁
６  ドア枠
８  浴室乾燥機
９  送風口
９ａ  ダクトパイプ
１０  扉
１１  掛止パイプ
１２  通気口
１３  衣類
１４  ヒーター機能部
Ｓ  収納スペース
【図１】
2005034511.tif 000003
【図２】
2005034511.tif 000004
【図３】
2005034511.tif 000005